(57)【要約】【課題】ユーザの設定した任意のフォルダにスキャンデータを保存できる情報処理システムの提供。【解決手段】画像形成装置は、ユーザに提供する機能を選択する機能選択部と、ユーザがスキャンデータを保存するフォルダを選択する保存フォルダ選択部と、フォルダのパスワードをユーザから受け付けるパスワード受付部と、原稿読取部を制御して原稿をスキャンさせ、スキャンデータを生成させるスキャン制御部と、パスワード受付部から取得したパスワードと、スキャン制御部から取得したスキャンデータを管理サーバに送信するデータ送信部とを備え、管理サーバは、フォルダへアクセスするためのパス情報が記憶された記憶部と、画像形成装置からスキャンデータおよびパスワードを受信するデータ受信部と、パスワードを用いて、フォルダへアクセスするためのユーザ認証を行うユーザ認証部と、スキャンデータをフォルダへ格納するデータ保存部とを備える。【選択図】図２
2018050145.tif 000002
【特許請求の範囲】
【請求項１】
ネットワーク接続された、画像形成装置と管理サーバーとを含み、
前記画像形成装置は、
ネットワーク通信可能な第１の通信部と、
原稿をスキャンしてスキャンデータを生成する原稿読取部と、
ユーザーによるログインを受け付けるログイン受付部と、
前記ユーザーの指示に基づき、自装置の備える機能のうち、前記ユーザーに提供する機能を選択する機能選択部と、
前記ユーザーの指示に基づき、前記ユーザーが前記スキャンデータを保存するフォルダを選択する保存フォルダ選択部と、
前記フォルダのパスワードを前記ユーザーから受け付けるパスワード受付部と、
前記原稿読取部を制御して前記原稿をスキャンさせ、前記スキャンデータを生成させるスキャン制御部と、
前記パスワード受付部から取得した前記パスワードと、前記スキャン制御部から取得した前記スキャンデータを前記管理サーバーに送信するデータ送信部と
を備え、
前記管理サーバーは、
ネットワーク通信可能な第２の通信部と、
前記フォルダへアクセスするためのパス情報が記憶された記憶部と、
前記画像形成装置から、前記スキャンデータおよび前記パスワードを受信するデータ受信部と、
前記受信したパスワードを用いて、前記パス情報で指定された前記フォルダへアクセスするためのユーザー認証を行うユーザー認証部と、
前記受信したスキャンデータを、前記パス情報で指定された前記フォルダへ格納するデータ保存部と
を備えた
情報処理システム。
【請求項２】
ネットワーク接続された、画像形成装置と管理サーバーとを含む情報処理システムにおける情報処理方法であって、
前記画像形成装置のログイン受付部が、ユーザーによるログインを受け付け、
前記画像形成装置の機能選択部が、前記ユーザーの指示に基づき、自装置の備える機能のうち、前記ユーザーに提供する機能を選択し、
前記画像形成装置の保存フォルダ選択部が、前記ユーザーの指示に基づき、前記ユーザーがスキャンデータを保存するフォルダを選択し、
前記画像形成装置のパスワード受付部が、前記フォルダのパスワードを前記ユーザーから受け付け、
前記画像形成装置のスキャン制御部が、原稿読取部を制御して原稿をスキャンさせ、前記スキャンデータを生成させ、
前記画像形成装置のデータ送信部が、前記パスワード受付部から取得した前記パスワードと、前記スキャン制御部から取得した前記スキャンデータを前記管理サーバーに送信し、
前記管理サーバーのデータ受信部が、前記画像形成装置から、前記スキャンデータおよび前記パスワードを受信し、
前記管理サーバーのユーザー認証部が、前記受信したパスワードを用いて、前記フォルダへアクセスするためのパス情報で指定された前記フォルダへアクセスするためのユーザー認証を行い、
前記管理サーバーのデータ保存部が、前記受信したスキャンデータを、前記パス情報で指定された前記フォルダへ格納する
情報処理方法。
【発明の詳細な説明】
【技術分野】
【０００１】
本発明は、原稿をスキャンしたデータを指定されたフォルダに保存する情報処理システムおよび情報処理方法に関する。
【背景技術】
【０００２】
従来、画像形成装置（ＭＦＰ、Multifunction Peripheral）のスキャン機能を利用して原稿をスキャンして得られたスキャンデータをサーバーの特定のフォルダ等に保管することが行われていた（特許文献１参照）。
【先行技術文献】
【特許文献】
【０００３】
【特許文献１】特開２００３−３２４２５号公報
【発明の概要】
【発明が解決しようとする課題】
【０００４】
しかし、特許文献１の技術では、スキャンしたデータを実際に利用する、ユーザーのＰＣ（Personal Computer）の特定のフォルダにスキャンデータを移動させるためには、ユーザーがサーバーにアクセスして、ダウンロードしたいデータを指定し、データを明示的に移動させなければならなかった。
【０００５】
以上のような事情に鑑み、本発明の目的は、ユーザーの設定した任意のフォルダにスキャンデータを保存できる情報処理システムおよび情報処理方法を提供することにある。
【課題を解決するための手段】
【０００６】
上記目的を達成するため、本発明の一形態に係る情報処理システムは、ネットワーク接続された、画像形成装置と管理サーバーとを含み、前記画像形成装置は、ネットワーク通信可能な第１の通信部と、原稿をスキャンしてスキャンデータを生成する原稿読取部と、ユーザーによるログインを受け付けるログイン受付部と、前記ユーザーの指示に基づき、自装置の備える機能のうち、前記ユーザーに提供する機能を選択する機能選択部と、前記ユーザーの指示に基づき、前記ユーザーが前記スキャンデータを保存するフォルダを選択する保存フォルダ選択部と、前記フォルダのパスワードを前記ユーザーから受け付けるパスワード受付部と、前記原稿読取部を制御して前記原稿をスキャンさせ、前記スキャンデータを生成させるスキャン制御部と、前記パスワード受付部から取得した前記パスワードと、前記スキャン制御部から取得した前記スキャンデータを前記管理サーバーに送信するデータ送信部とを備え、前記管理サーバーは、ネットワーク通信可能な第２の通信部と、前記フォルダへアクセスするためのパス情報が記憶された記憶部と、前記画像形成装置から、前記スキャンデータおよび前記パスワードを受信するデータ受信部と、前記受信したパスワードを用いて、前記パス情報で指定された前記フォルダへアクセスするためのユーザー認証を行うユーザー認証部と、前記受信したスキャンデータを、前記パス情報で指定された前記フォルダへ格納するデータ保存部とを備える。そのため、ユーザーの設定した任意のフォルダにスキャンデータを保存できる。
【０００７】
上記目的を達成するため、本発明の一形態に係る情報処理方法は、ネットワーク接続された、画像形成装置と管理サーバーとを含む情報処理システムにおける情報処理方法であって、前記画像形成装置のログイン受付部が、ユーザーによるログインを受け付け、前記画像形成装置の機能選択部が、前記ユーザーの指示に基づき、自装置の備える機能のうち、前記ユーザーに提供する機能を選択し、前記画像形成装置の保存フォルダ選択部が、前記ユーザーの指示に基づき、前記ユーザーがスキャンデータを保存するフォルダを選択し、前記画像形成装置のパスワード受付部が、前記フォルダのパスワードを前記ユーザーから受け付け、前記画像形成装置のスキャン制御部が、原稿読取部を制御して原稿をスキャンさせ、前記スキャンデータを生成させ、前記画像形成装置のデータ送信部が、前記パスワード受付部から取得した前記パスワードと、前記スキャン制御部から取得した前記スキャンデータを前記管理サーバーに送信し、前記管理サーバーのデータ受信部が、前記画像形成装置から、前記スキャンデータおよび前記パスワードを受信し、前記管理サーバーのユーザー認証部が、前記受信したパスワードを用いて、前記フォルダへアクセスするためのパス情報で指定された前記フォルダへアクセスするためのユーザー認証を行い、前記管理サーバーのデータ保存部が、前記受信したスキャンデータを、前記パス情報で指定された前記フォルダへ格納する。
【発明の効果】
【０００８】
以上のように、本発明によれば、ユーザーの設定した任意のフォルダにスキャンデータを保存できる。
【図面の簡単な説明】
【０００９】
【図１】本発明の一実施形態に係る情報処理システム１の全体構成図である。
【図２】全体の流れを概略的に示す図である。
【図３】管理サーバー１０が一般的なコンピューターにより構成される場合の構成図である。
【図４】画像形成装置２０の構成を概略的に示す構成図である。
【図５】情報処理システム１における処理の流れのうち、事前設定に関する部分を説明するためのフローチャートである。
【図６】情報処理システム１における処理の流れのうち、原稿をスキャンしてスキャンデータとしてフォルダに格納する部分を説明するためのフローチャートである。
【発明を実施するための形態】
【００１０】
以下、図面を参照しながら、本発明の実施形態を説明する。
［全体構成と全体の流れ］
最初に、本発明の一実施形態に係る情報処理システムの全体構成と全体の流れについて説明する。図１は、本発明の一実施形態に係る情報処理システム１の全体構成図である。
【００１１】
情報処理システム１は、ネットワーク接続された、管理サーバー１０と画像形成装置２０とを含んで構成される。
【００１２】
管理サーバー１０には予めユーザーが指定したＰＣ３０上のフォルダがパスとして登録されており、画像形成装置２０からスキャンしたデータを受信すると、指定されたパスに従って受信したデータを保存する。
【００１３】
画像形成装置２０にはスキャン機能が備えられており、ユーザーがスキャンした原稿のデータを管理サーバー１０に送る。
【００１４】
ＰＣ３０には、パスワードによるユーザー認証を行ってネットワーク経由でのアクセスを行えるフォルダが設定されている。以下の説明では、ユーザーはこのフォルダにスキャンしたデータを保存したいものとする。
【００１５】
次に、全体の流れについて説明する。図２は、全体の流れを概略的に示す図である。
（１）まず、管理者またはユーザーは、ＰＣ３０上の特定のフォルダをスキャンデータの格納場所として指定できるように、予めそのパス（例えば//MyPC/Shared）を管理サーバー１０に設定しておく。
【００１６】
（２）ユーザーが画像形成装置２０にログインする。
【００１７】
（３）ユーザーがScanToFolder機能を選択する。ScanToFolder機能は、スキャンしたデータを特定のフォルダに送って保存するための機能である。
【００１８】
（４）ユーザーがスキャンデータの保存先となるフォルダを選択する。
【００１９】
（５）ユーザーが選択したフォルダのパスワード（例えばABC）を入力する。
【００２０】
（６）ユーザーが画像形成装置２０のスキャン機能を利用して原稿をスキャンする。
【００２１】
（７）スキャンデータおよびパスワードが管理サーバー１０に送られる。スキャンデータは電子メールなどにより送信されてもよい。パスワードは暗号化された通信により送信されることが好ましい。
【００２２】
（８）管理サーバー１０が、受け取ったパスワードを用いて、指定されたパスにあるフォルダにアクセスするためのユーザー認証を行う。
【００２３】
（９）管理サーバー１０が、スキャンデータを、指定されたパスに従って特定のフォルダに格納する。なお、格納する際の通信はＳＭＢ（Server Message Block）によってもよいし、ＦＴＰ（File Transfer Protocol）などによってもよい。
【００２４】
以上のように、本発明の一実施形態に係る情報処理システム１では、原稿をスキャンする際に、ユーザーがスキャンデータの格納先として指定するフォルダのパスワードを受け付ける。
【００２５】
そのため、管理サーバー１０でスキャンデータを格納するプロセスが用いるアクセス権限でアクセス可能なフォルダだけでなく、ユーザーのアクセス権限によりアクセス可能な任意のフォルダをスキャンデータの格納先として指定し、スキャンデータを格納することが出来る。
【００２６】
以上、本発明の一実施形態に係る情報処理システムの全体構成と全体の流れについて説明した。
【００２７】
［管理サーバーの構成］
次に、管理サーバー１０の構成について説明する。管理サーバー１０は、専用のハードウェアやソフトウェアにより構成されていてもよいし、一般的なコンピューターにより構成されてもよい。管理サーバー１０が一般的なコンピューターにより構成される場合の構成図を図３に示す。
【００２８】
同図に示すように、管理サーバー１０は、ＣＰＵ（Central Processing Unit）１１、ＲＯＭ（Read Only Memory）１２、ＲＡＭ（Random Access Memory）１３、操作入力部１４、通信部１５（第２の通信部）、表示部１６、および記憶部１７を有し、これら各ブロックがバス１８を介して接続されている。
【００２９】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００３０】
記憶部１７は、例えばＨＤＤ（Hard Disk Drive）や、フラッシュメモリー、その他の不揮発性メモリーである。記憶部１７には、ＯＳや各種アプリケーション、各種データ、パス情報１７ａが記憶される。
【００３１】
パス情報１７ａは、画像形成装置２０で原稿をスキャンして得られたスキャンデータを格納するフォルダのパスを予め登録しておくものである。上述した例では、ホスト名が「ＭｙＰＣ」であるＰＣ３０の、ネットワーク経由でアクセス可能なフォルダ「Ｓｈａｒｅｄ」を示すパス名「／／ＭｙＰＣ／Ｓｈａｒｅｄ」となっている。
【００３２】
通信部１５は、画像形成装置２０およびＰＣ３０と情報のやりとりを行う為のネットワークと結ばれている。
【００３３】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００３４】
操作入力部１４は、例えばマウス等のポインティングデバイス、キーボード、タッチパネル、その他の操作装置である。
【００３５】
表示部１６は、例えば液晶ディスプレイ、ＥＬ（Electro-Luminescence）ディスプレイ、プラズマディスプレイ等である。
【００３６】
次に、ＣＰＵ１１においてプログラムが実行されることにより実現される機能ブロックについて説明する。
【００３７】
管理サーバー１０のＣＰＵ１１において実現される機能ブロックは、パス設定部１１ａ、データ受信部１１ｂ、ユーザー認証部１１ｃ、およびデータ保存部１１ｄである。
【００３８】
パス設定部１１ａは、スキャンしたデータを格納するためのＰＣ３０のフォルダへのパスを、ユーザーからの入力を受け付けて、パス情報１７ａとして記憶部１７に記憶させる。
【００３９】
データ受信部１１ｂは、画像形成装置２０から、スキャンデータおよびスキャンデータを格納するフォルダのパスワードを受信し、スキャンデータをデータ保存部１１ｄに渡し、パスワードをユーザー認証部１１ｃに渡す。
【００４０】
ユーザー認証部１１ｃは、データ受信部１１ｂから渡されたパスワードを用いて、パス情報１７ａで指定されたフォルダへアクセスするためのユーザー認証を行う。
【００４１】
データ保存部１１ｄは、データ受信部１１ｂから渡されたスキャンデータを、パス情報で指定されたＰＣ３０のフォルダへ格納する。
【００４２】
以上、管理サーバー１０の構成について説明した。
【００４３】
［画像形成装置の構成］
次に、画像形成装置２０の構成について説明する。図４は画像形成装置２０の構成を概略的に示す構成図である。
【００４４】
画像形成装置２０は、制御部２１を備える。制御部２１は、ＣＰＵ、ＲＡＭ、ＲＯＭ、および専用のハードウェア回路等から構成され、画像形成装置２０の全体的な動作制御を司る。
【００４５】
制御部２１は、原稿読取部２２、画像処理部２３、画像メモリー２４、画像形成部２５、操作部２６、表示部２６ａ、ファクシミリ通信部２７、通信部２８（第１の通信部）、記憶部２９等と接続されている。制御部２１は、接続されている上記各部の動作制御や、各部との間での信号又はデータの送受信を行う。
【００４６】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００４７】
また、制御部２１は、ログイン受付部２１ａ、機能選択部２１ｂ、保存フォルダ選択部２１ｃ、パスワード受付部２１ｄ、スキャン制御部２１ｅ、およびデータ送信部２１ｆを有している。ログイン受付部２１ａ、機能選択部２１ｂ、保存フォルダ選択部２１ｃ、パスワード受付部２１ｄ、スキャン制御部２１ｅ、およびデータ送信部２１ｆは、ＲＯＭなどからＲＡＭにロードされたプログラムがＣＰＵにより実行されることで実現される機能ブロックである。
【００４８】
ログイン受付部２１ａは、ユーザーによる画像形成装置２０へのログインを受け付け、ログイン処理を行う。
【００４９】
機能選択部２１ｂは、ユーザーの指示に基づき、画像形成装置２０の備える機能のうち、ユーザーに提供する機能を選択する。
【００５０】
保存フォルダ選択部２１ｃは、ユーザーがスキャンデータを保存するフォルダを選択する。なお、選択肢となるフォルダに関する情報は、画像形成装置２０に保存されていてもよいし、管理サーバー１０から取得してもよい。
【００５１】
パスワード受付部２１ｄは、ユーザーがスキャンデータを保存するフォルダのパスワードをユーザーから受け付ける。
【００５２】
スキャン制御部２１ｅは、原稿読取部２２を制御して原稿をスキャンさせ、スキャンデータを得る。
【００５３】
データ送信部２１ｆは、パスワード受付部２１ｄから取得したパスワードと、スキャン制御部２１ｅから取得したスキャンデータを管理サーバー１０に送る。
【００５４】
原稿読取部２２は、原稿から画像を読み取る。
【００５５】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００５６】
画像メモリー２４は、原稿読取部２２による読み取りで得られた原稿画像のデータを一時的に記憶したり、画像形成部２５での印刷対象となるデータを一時的に記憶したりする領域である。
【００５７】
画像形成部２５は、原稿読取部２２で読み取られた画像データ等の画像形成を行う。
【００５８】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００５９】
ファクシミリ通信部２７は、図示しない符号化／復号化部、変復調部、およびＮＣＵ（Network Control Unit）を備え、公衆電話回線網を用いてのファクシミリの送信を行う。
【００６０】
通信部２８は、ＬＡＮボード等の通信モジュールから構成され、通信部２８に接続されたＬＡＮ等を介して、管理サーバー１０などの装置(ＰＣ等)と種々のデータの送受信を行う。
【００６１】
記憶部２９は、原稿読取部２２によって読み取られた原稿画像などを記憶する。記憶部２９は、ＨＤＤなどの大容量の記憶装置である。
【００６２】
以上、画像形成装置２０の構成について説明した。
【００６３】
［処理の流れ（事前設定）］
次に、情報処理システム１における処理の流れのうち、事前設定に関する部分を説明する。図５は、情報処理システム１における処理の流れのうち、事前設定に関する部分を説明するためのフローチャートである。
【００６４】
この図にあるように、管理サーバー１０の管理者またはユーザーは、予め管理サーバー１０のパス設定部１１ａに対し、スキャンデータを格納するためのフォルダのパスを入力する。
【００６５】
パス設定部１１ａは、入力されたパスをパス情報１７ａとして記憶部１７に記憶させる。
【００６６】
以上、情報処理システム１における処理の流れのうち、事前設定に関する部分を説明した。
【００６７】
［処理の流れ（スキャンデータの格納）］
次に、情報処理システム１における処理の流れのうち、原稿をスキャンしてスキャンデータとしてフォルダに格納する部分を説明する。図６は、情報処理システム１における処理の流れのうち、原稿をスキャンしてスキャンデータとしてフォルダに格納する部分を説明するためのフローチャートである。
【００６８】
まず、ログイン受付部２１ａが、ユーザーによる画像形成装置２０へのログインを受け付ける（ステップＳ１０）。
【００６９】
次に、ユーザーからの指示に基づき、機能選択部２１ｂが、ScanToFolder機能を選択する（ステップＳ１１）。
【００７０】
次に、ユーザーからの指示に基づき、保存フォルダ選択部２１ｃが、スキャンしたデータの保存先となるフォルダを選択する（ステップＳ１２）。
【００７１】
次に、パスワード受付部２１ｄが、ユーザーから選択したフォルダのパスワードを受け付ける（ステップＳ１３）。
【００７２】
次に、スキャン制御部２１ｅが、原稿読取部２２を用いて原稿をスキャンし、スキャンデータを生成する（ステップＳ１４）。
【００７３】
次に、データ送信部２１ｆが、管理サーバー１０へ、入力されたパスワードと生成されたスキャンデータを送信する（ステップＳ１５）。
【００７４】
次に、管理サーバー１０のデータ受信部１１ｂが、画像形成装置２０から送信されたパスワードとスキャンデータを受信する（ステップＳ１６）。
【００７５】
次に、ユーザー認証部１１ｃが、受信したパスワードを用いて、選択されているフォルダにおけるユーザー認証を行う（ステップＳ１７）。
【００７６】
次に、データ保存部１１ｄが、受信したスキャンデータを選択されているフォルダに保存する（ステップＳ１８）。
【００７７】
以上、情報処理システム１における処理の流れのうち、原稿をスキャンしてスキャンデータとしてフォルダに格納する部分を説明した。
【００７８】
［補足事項］
以上のように、本発明の情報処理システム１は、ネットワーク接続された、画像形成装置２０と管理サーバー１０とを含み、前記画像形成装置２０は、ネットワーク通信可能な第１の通信部２８と、原稿をスキャンしてスキャンデータを生成する原稿読取部２２と、ユーザーによるログインを受け付けるログイン受付部２１ａと、前記ユーザーの指示に基づき、自装置２０の備える機能のうち、前記ユーザーに提供する機能を選択する機能選択部２１ｂと、前記ユーザーの指示に基づき、前記ユーザーが前記スキャンデータを保存するフォルダを選択する保存フォルダ選択部２１ｃと、前記フォルダのパスワードを前記ユーザーから受け付けるパスワード受付部２１ｄと、前記原稿読取部２２を制御して前記原稿をスキャンさせ、前記スキャンデータを生成させるスキャン制御部２１ｅと、前記パスワード受付部２１ｄから取得した前記パスワードと、前記スキャン制御部２１ｅから取得した前記スキャンデータを前記管理サーバー１０に送信するデータ送信部２１ｆとを備え、前記管理サーバー１０は、ネットワーク通信可能な第２の通信部１５と、前記フォルダへアクセスするためのパス情報１７ａが記憶された記憶部１７と、前記画像形成装置２０から、前記スキャンデータおよび前記パスワードを受信するデータ受信部１１ｂと、前記受信したパスワードを用いて、前記パス情報１７ａで指定された前記フォルダへアクセスするためのユーザー認証を行うユーザー認証部１１ｃと、前記受信したスキャンデータを、前記パス情報１７ａで指定された前記フォルダへ格納するデータ保存部１１ｄとを備える。
【００７９】
そのため、ユーザーの設定した任意のフォルダにスキャンデータを保存できる。
【００８０】
その他、本発明は、上述の実施形態にのみ限定されるものではなく、本発明の要旨を逸脱しない範囲内において種々変更を加え得ることは勿論である。
【符号の説明】
【００８１】
１  …  情報処理システム
１０  …  管理サーバー
１１  …  ＣＰＵ
１１ａ…  パス設定部
１１ｂ…  データ受信部
１１ｃ…  ユーザー認証部
１１ｄ…  データ保存部
１２  …  ＲＯＭ
１３  …  ＲＡＭ
１４  …  操作入力部
１５  …  通信部
１６  …  表示部
１７  …  記憶部
１７ａ…  パス情報
１８  …  バス
２０  …  画像形成装置
２１  …  制御部
２１ａ…  ログイン受付部
２１ｂ…  機能選択部
２１ｃ…  保存フォルダ選択部
２１ｄ…  パスワード受付部
２１ｅ…  スキャン制御部
２１ｆ…  データ送信部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
【図１】
2018050145.tif 000003
【図２】
2018050145.tif 000004
【図３】
2018050145.tif 000005
【図４】
2018050145.tif 000006
【図５】
2018050145.tif 000007
【図６】
2018050145.tif 000008